(57)【要約】【課題】ベランダの立上がり壁等をＡＬＣパネルで構築する際に、十分な取付け強度を持たせる事ができて、且つ、最小限個数の取付け金物のみによって施工することができるＡＬＣパネルの取付け構造を提供すること。【解決手段】上部側小口面１１Ａと下部側小口面１１Ｂとに、中空のパイプ材２が垂直に埋設されてなる開口部が形成されていて、取付け金物３の軸部３２が、開口部からパイプ材２の中空部内に挿入されて取付け金物３とパイプ材２が係合されており、取付け金物３のプレート部３１が上部躯体１０Ａと下部躯体１０Ｂに溶接固定されていて、開口部は、上部側小口面１１Ａ及び下部側小口面１１Ｂのそれぞれの略中央部の１カ所にのみ形成されていて、パイプ材２の中空部及び軸部３２の長軸方向に対する垂直断面形状が、いずれも同一の多角形形状であるパネル取付け構造１００とする。【選択図】図１
2016089553.tif 000002
【特許請求の範囲】
【請求項１】
軽量気泡コンクリートパネルを建物の上部躯体と下部躯体との間に取り付けてなるパネル取付け構造であって、
前記軽量気泡コンクリートパネルには、
前記上部躯体に当接する上部側小口面と前記下部躯体に当接する下部側小口面とに、中空のパイプ材が垂直に埋設されてなる開口部が形成されていて、
プレート部と軸部とを有する取付け金物の前記軸部が、前記開口部から前記パイプ材の中空部内に挿入されて前記取付け金物と前記パイプ材とが係合されており、
前記取付け金物のプレート部が前記上部躯体と下部躯体に直接或いは他の鋼材を介して溶接固定されていて、
前記開口部は、前記上部側小口面及び前記下部側小口面のそれぞれの略中央部の１カ所にのみ形成されていて、
前記パイプ材の中空部及び前記軸部の長軸方向に対する垂直断面形状が、いずれも同一の多角形形状であるパネル取付け構造。
【請求項２】
前記パイプ材の中空部及び前記軸部の長軸方向に対する垂直断面形状が、いずれも長方形である請求項１に記載のパネル取付け構造。
【請求項３】
前記パイプ材の中空部及び前記軸部の長軸方向に対する垂直断面形状が、いずれも正方形である請求項１又は２に記載のパネル取付け構造。
【請求項４】
前記軸部の外周側面に弾性部材層が形成されている請求項１から３のいずれかに記載のパネル取付け構造。
【発明の詳細な説明】
【技術分野】
【０００１】
本発明は、軽量気泡コンクリートパネル（ＡＬＣパネル）を建物の上部躯体と下部躯体の間に取り付けてなるパネル取付け構造に関する。例えば、ベランダの立上がり壁等をＡＬＣパネルによって構築する際に、ＡＬＣパネルを上記建物躯体に強固、且つ、容易に取り付けることが出来るパネル取付け構造に関する。
【背景技術】
【０００２】
従来、ＡＬＣパネルは、その軽量性、耐熱性、耐火性等の特性に優れていることから、建物の屋根材、床材、壁材等の建築材料として広く用いられている。
【０００３】
このＡＬＣパネルを、ベランダ壁等の立上がり壁として使用する際の取付け構造として、ＡＬＣパネル内部に埋設したアンカー部材と、鉄骨梁等、取付け対象となる建築物の躯体部分とが、取付け金物やアングル部材等を介して接合されている構造が広く採用されている（特許文献１参照）。
【０００４】
しかしながら、特許文献１に記載の上記取付け構造のように、ＡＬＣパネルの壁面よりも外側に取付け金物等の金具が露出していると、美観が損なわれるとともに、屋外にＡＬＣパネルを取り付けた場合に、風雨等の影響により、露出している金具が錆びて外観品質が損なわれるおそれがあった。
【０００５】
そこで、ＡＬＣパネルを建物躯体に取り付けるために用いる取付け金物が、ＡＬＣパネルの壁面よりも外側に露出しないようにしたＡＬＣパネルの取付け構造も提案されている。この取付け構造は、具体的には、建物躯体に複数本の棒状体からなる取付け金物がその一端側で固定されており、当該取付け金物の他の一端側の棒状部分が、ＡＬＣパネルの小口面に形成された複数の挿入孔内に挿入されているＡＬＣパネルの取付け構造が提案されている（特許文献２参照）。
【先行技術文献】
【特許文献】
【０００６】
【特許文献１】特開２００３−１１３６５４号公報
【特許文献２】特開２０１１−１１１８１６号公報
【発明の概要】
【発明が解決しようとする課題】
【０００７】
ここで、図９に示す通り、特許文献２に開示されたＡＬＣパネルの取付け構造１０１においては、少なくとも、ＡＬＣパネル１の上端小口面においては、２以上の複数の取付け金物７Ａを挿入可能な複数の挿入項６Ａが形成されている。
【０００８】
ここで取付け金物はＡＬＣパネルの取付け構造の強度を確保可能な限りにおいて、できるだけ少ない個数で、取付け構造を形成することが建物の生産性や経済性等において好ましい。しかし、仮に図９のＡＬＣパネルの取付け構造１０１において、上端小口面の取付け金物７Ａの設置を下端側小口面と同様に中央の一カ所のみに行うものとした場合には、施工過程でＡＬＣパネル１が上下の取付け金物の設置位置を結ぶ線を中心に不要に回転してしまう。そして、これにより、施工性と設置後の安定性に問題が生じる。よって、特許文献２に開示されている従来のＡＬＣパネルの取付け構造においては、少なくとも上端小口面においては、複数の取付け金物の設置が必須となる。
【０００９】
本発明の目的は、例えば、ベランダの立上がり壁等をＡＬＣパネルによって構築する際に、ＡＬＣパネルの建物躯体への取り付け部分に十分な強度を持たせる事ができて、且つ、建物躯体へのＡＬＣパネルの取付け作業を最小限個数の取付け金物のみによって容易に行うことができるＡＬＣパネルの取付け構造を提供することにある。
【課題を解決するための手段】
【００１０】
本発明者らは、軽量気泡コンクリートパネルを建物の上部躯体と下部躯体の間に取り付けてなるパネル取付け構造において、ＡＬＣパネルの小口面に挿入する取付け金物の軸部と、それを挿入する小口面上のパイプ部の垂直断面形状をいずれも同一の多角形形状とすることで、上記のパネル取付け構造における取付け部分の強度を保持しながら、取付け金物の設置個数を最小化できることを見出し、本発明を完成するに至った。具体的には、本発明は以下のものを提供する。
【００１１】
（１）  軽量気泡コンクリートパネルを建物の上部躯体と下部躯体との間に取り付けてなるパネル取付け構造であって、前記軽量気泡コンクリートパネルには、前記上部躯体に当接する上部側小口面と前記下部躯体に当接する下部側小口面とに、中空のパイプ材が垂直に埋設されてなる開口部が形成されていて、プレート部と軸部とを有する取付け金物の前記軸部が、前記開口部から前記パイプ材の中空部内に挿入されて前記取付け金物と前記パイプ材とが係合されており、前記取付け金物のプレート部が前記上部躯体と下部躯体に直接或いは他の鋼材を介して溶接固定されていて、前記開口部は、前記上部側小口面及び前記下部側小口面のそれぞれの略中央部の１カ所にのみ形成されていて、前記パイプ材の中空部及び前記軸部の長軸方向に対する垂直断面形状が、いずれも同一の多角形形状であるパネル取付け構造。
【００１２】
（１）の発明によれば、軸部を有する取付け金物を小口面から挿入する態様のパネル取付け構造において、上部側小口面及び前記下部側小口面のそれぞれの中央部の１カ所にのみ上記軸部の挿入孔となるパイプ材が埋設されているものとし、且つ、上記パイプ材の中空部及び上記軸部の垂直断面形状を、いずれも同一の多角形形状とした。これにより、取付け金物の軸部がパイプ材の中で回転して、ＡＬＣパネルが不要に回転することを防ぐことができる。これにより、軽量気泡コンクリートパネルの取付け構造の取付け強度を保持しながら、取付け金物の設置個数を最小化することができる。尚、このＡＬＣパネル取付け構造は、特にベランダ、バルコニー、パラペット、廊下、階段等の立上がり壁として軽量気泡コンクリートパネルを取り付ける際に好ましく用いることができる。
【００１３】
（２）  前記パイプ材の中空部及び前記軸部の長軸方向に対する垂直断面形状が、いずれも長方形である（１）に記載のパネル取付け構造。
【００１４】
（２）の発明によれば、パイプ材及び軸部の成形が容易であり、且つ、上記の不要な回転の抑止効果も極めて高いものとすることができる。
【００１５】
（３）  前記パイプ材の中空部及び前記軸部の長軸方向に対する垂直断面形状が、いずれも正方形である（１）又は（２）に記載のパネル取付け構造。
【００１６】
（３）の発明によれば、部材の成形の容易性や不要な回転の抑止等の（２）の発明の効果をより顕著なものとすることができる。
【００１７】
（４）  前記軸部の外周側面に弾性部材層が形成されている（１）から（３）のいずれかに記載のパネル取付け構造。
【００１８】
（４）の発明によれば、軸部の外周の形状及びサイズと、パイプ部の内周の形状及びサイズにおいて、若干の製造誤差が生じている場合であっても、弾性部材層の変形が誤差を吸収し、且つ、施工中及び設置後の軸部とパイプ材との接合の安定性を更に高めることができる。
【発明の効果】
【００１９】
本発明によれば、例えば、ベランダの立上がり壁等をＡＬＣパネルによって構築する際に、ＡＬＣパネルの建物躯体への取付け構造部分に十分な強度を持たせる事ができて、且つ、建物躯体へのＡＬＣパネルの取付け作業を最小限個数の取付け金物のみによって容易に行うことができるＡＬＣパネルの取付け構造を提供することができる。
【図面の簡単な説明】
【００２０】
【図１】本発明のパネル取付け構造の正面透視図である。
【図２】本発明のパネル取付け構造の側面透視図である。
【図３】本発明の軽量発泡コンクリートパネルの斜視透視図の一部を示す図である。
【図４】パイプ材と取付け金物の組合せの例を示す図であって、（ａ）は断面正方形の組合せ、（ｂ）は断面長方形の組合せを示す。
【図５】軽量気泡コンクリートパネル内部における、パイプ材の固定方法の一例を説明する図である。
【図６】上記パイプ材の固定方法の他の例を説明する図である。
【図７】上記パイプ材の固定方法の更なる他の例を説明する図である。
【図８】取付け金物の軸部の外周側面に弾性部材層を形成した例を示す斜視図である。
【図９】従来のパネル取付け構造の一例を示す斜視図である。
【発明を実施するための形態】
【００２１】
以下、本発明の実施形態について説明する。図１及び図２に示す通り、本発明のパネル取付け構造１００は、軽量気泡コンクリートパネル（ＡＬＣパネル）１が、建物の上部躯体１０Ａと下部躯体１０Ｂ（以下、両躯体を併せて、「建物躯体１０」とも言う）の間に取り付けられることによって立ち上がり壁を構成しているパネル取付け構造である。
【００２２】
パネル取付け構造１００に用いるＡＬＣパネルとしては、従来公知のＡＬＣパネル１を適宜用いることができる。ＡＬＣパネル１には、通常、例えば図６に示すような主筋１２及びクロス筋１３からなる補強鉄筋が埋め込まれている。よって、ＡＬＣパネル内に埋設したパイプ材２を、これらの補強鉄筋に溶接により強固に固定することができる。ＡＬＣパネル１を上記の建物躯体１０に取り付ける際に、パイプ材２には、その中空部に取付け金物３（３Ａ及び３Ｂ）が挿入される。これにより、パイプ材２は、取付け金物３とともにＡＬＣパネル１と建物躯体１０との取付け部分を構成し、ＡＬＣパネル１の固定に寄与することができる。
【００２３】
パイプ材２（２Ａ及び２Ｂ）は、パネル取付け構造１００において、ＡＬＣパネル１に埋設されて用いられる中空の棒状形体である金属部材である。図４に示す通り、パイプ材２の中空部については、その長軸方向に対する垂直断面が、多角形、好ましくは、正方形又は長方形である。そして、パイプ材２の中空部については、更には上記断面形状を有するものであって、且つ、後に詳細を説明する取付け金物３の軸部３２を挿入することができるものであって、且つ、軸部３２が挿入された状態で不要に回転することを防ぐことができる態様で係合させられるサイズ及び形状とする。又、パイプ材２の外形としては、ＡＬＣパネル１の大きさに応じた必要な強度を有する鋼管を適宜使用することができる。尚、本明細書における多角形には円形は含めないものとする。
【００２４】
図１から図３に示すように、パネル取付け構造１００においては、軽量気泡コンクリートパネル１の上部躯体１０Ａに当接する面である上部側小口面１１Ａと、下部躯体１０Ｂに当接する面である下部側小口面１１Ｂとに、パイプ材２が、埋設されている。そして、これらのパイプ材２の埋設については、ＡＬＣパネル１の上部側小口面１１Ａと下部側小口面１１Ｂ（以下、両小口面を併せて「両小口面１１」とも言う）、に、それぞれのパイプ材２が直交するように、且つ、それぞれのパイプ材２の一端が、両小口面１１の表面において、それぞれ一つずつの開口部を、各小口面の中央近傍に形成することとなるように、パイプ材２を、軽量気泡コンクリートパネル１に埋設する。
【００２５】
即ち、パネル取付け構造１００においては、これらのパイプ材２の埋設によって形成されるＡＬＣパネル１の両小口面１１の開口部が、上部側小口面１１Ａと下部側小口面１１Ｂの各表面における幅方向及び厚さ方向の略中央部に、各１カ所ずつのみ、形成されている。
【００２６】
パイプ材２は、ＡＬＣパネル１の内部の補強鉄筋と緊結せずに埋設してもよい。ただし、図５から７に示す通り、パイプ材２の埋設位置を予め決めた位置に精度よく設置するためには、ＡＬＣパネル１の内部の主筋１２やクロス筋１３等の補強鉄筋に固定しておくことがより好ましい。
【００２７】
パイプ材２のＡＬＣパネル１の両小口面１１の側端部は、予めテープやシール等で被覆して、ＡＬＣパネル製造時に原料スラリーが浸入しないようにすることが好ましい。ただし、万が一スラリーが浸入してしまいパイプ内部が軽量気泡コンクリート基材で埋まっている場合でも、ドリル等で孔を掘り返すことは可能である。
【００２８】
図４に示す通り、取付け金物３は、プレート部３１と軸部３２とを有する金属部材である。プレート部３１は、建物躯体１０に直接又は間接的に溶接可能であって、且つ、上部側小口面１１Ａ、及び下部側小口面１１Ｂに隙間無く設置可能な平板状のものであればよい。
【００２９】
取付け金物３の軸部３２は、垂直断面が多角形、好ましくは、正方形又は長方形であればよい。そして、軸部３２は、上記の多角形形状の断面を有するものであって、且つ、上述したパイプ材２に挿入することができ、挿入された状態での回転が不能な態様で係合させることができるサイズと形状のものであればよい。
【００３０】
又、取付け金物３は、図８に示すように、軸部３２の外周側面の一部或いは全部に弾性部材層３２１を形成したものも好ましく用いることができる。弾性部材層３２１の材料としては、ゴム材等摩擦係数が大きく弾力性を有する材料を用いることができる。このような材料により軸部の外周側面を被覆することによって弾性部材層３２１を形成することができる。建築現場でパネル取付け構造１００の施工を行う場合、予め、取付け金物３の軸部３２をＡＬＣパネル１に挿入して建て込むと効率よく施工できる。弾性部材層３２１の外径を、パイプ材２の内径とほぼ同等としておくことで、その際のＡＬＣパネル１からの軸部３２の抜け落ちを防止することができる。
【００３１】
プレート部３１と軸部３２とを有する取付け金物３の形成方法は特に限定されない。例えば、図４（ａ）に示す取付け金物３は、断面正方形の棒鋼からなる軸部３２の片方の端部を鋼板からなるプレート部３１の表面に鉛直に立てて溶接固定したものである。又、図４（ｂ）に示す取付け金物３ｂは、断面が長方形の鋼片をＬ字型に折り曲げることにより、プレート部３１ｂと、断面形状が長方形である軸部３２ｂとを形成したものである。これらはいずれも本発明のパネル取付け構造１００を構成する取付け金物３として好ましく用いることができる。
【００３２】
図４（ａ）は、中空部の垂直断面形状が正方形であるパイプ材２と、軸部３２の同断面形状が正方形である取付け金物３との組合せを示す。又、（ｂ）は上記断面形状がいずれも長方形であるパイプ材２ｂと取付け金物３ｂとの組合せを示す。パイプ材２とそれに挿入して係合させる取付け金物３の軸部３２の断面形状を、このように正方形や長方形のような多角形とすることにより、取付け金物３の軸部３２がパイプ材２の中で不要に回転することを防ぎ、軽量気泡コンクリートパネルのパネル取付け構造１００の取付け強度や施工性を維持しながら、取付け金物３の設置個数を最小化することができる。
【００３３】
尚、上述の通り、パネル取付け構造１００においては、パイプ材２は、ＡＬＣパネル１内の補強鉄筋に固定される。図５から７はパイプ材２を補強鉄筋に固定する方法の具体例を示した図である。図５は、パイプ材２をクロス筋１３に直接溶接固定した例であり、図中１４は溶接スポットである。この例は最もシンプルであるが、パイプ材２のＡＬＣパネル１の厚さ方向の設置位置が内部のクロス筋１３の位置によって決まってしまうため、パイプ材２のＡＬＣパネルの厚さ方向の埋設位置を変更するためには、内部の補強鉄筋の配筋位置も変更する必要がある。そこで図６のように固定プレート４を介して主筋１２に固定する方式とすれば、パイプ材２のＡＬＣパネル１の厚さ方向の埋設位置変更は、固定プレート４の厚みの変更のみで容易に可能となる。このとき、固定プレート４の代わりに鉄筋等の線材を介して取り付けても同様の効果を得ることが出来る。又、図７に示すようにパイプ材２を貫通させ固定した固定プレート４をＡＬＣパネル１の小口面に平行となるように設置し、クロス筋１３或いは主筋１２に固定しておく方式であれば、前述の図６の方式と同様に、パイプ材２のＡＬＣパネル１の厚さ方向の埋設位置の変更は固定プレート４へのパイプ材２の設置位置を変更することで容易に可能である。さらに、ＡＬＣパネル内部の配筋が複筋配置となっている場合には、その両側のクロス筋１３或いは主筋１２が固定プレート４によって固定されるため、取付け部近傍の鉄筋が補強され、取付け耐力の向上を図ることも可能となる。
【００３４】
パネル取付け構造１００においては、ＡＬＣパネル１に埋設されたパイプ材２は、ＡＬＣパネル１内の主筋１２やクロス筋１３に強固に溶接固定されているので、パイプ材２の内部に軸部３２が嵌合されることにより、ＡＬＣパネル１は、建物躯体１０に強固に固定される。又、パネル取付け構造１００においては、最小限個数の取付け金物によって、立ち上がり壁を構成するＡＬＣパネルを建物躯体に取り付けることが可能である。よって、パネル取付け構造１００を用いることにより、従来の取付け構造よりも部品点数と工程数が少なくて済み、更なるコスト削減と生産性向上が可能となる。
【符号の説明】
【００３５】
１                      軽量気泡コンクリートパネル
１１                    小口面
１１Ａ                  上部側小口面
１１Ｂ                  下部側小口面
１２                    主筋
１３                    クロス筋
１４                    溶接スポット
２、２Ａ、２Ｂ、２ｂ    パイプ材
３、３Ａ、３Ｂ、３ｂ    取付け金物
３１、３１ｂ            プレート部
３２、３２ｂ            軸部
３２１                  弾性部材層
４                      固定プレート
１０                    建物躯体
１０Ａ                  上部躯体
１０Ｂ                  下部躯体
１００                  パネル取付け構造
【図１】
2016089553.tif 000003
【図２】
2016089553.tif 000004
【図３】
2016089553.tif 000005
【図４】
2016089553.tif 000006
【図５】
2016089553.tif 000007
【図６】
2016089553.tif 000008
【図７】
2016089553.tif 000009
【図８】
2016089553.tif 000010
【図９】
2016089553.tif 000011